(57)【特許請求の範囲】
【請求項１】
下側に立てられる径大パイプ（１）と、径大パイプ（１）の内部に上下スライド自在に嵌合する上側の径小パイプ（２）と、径大パイプ（１）の下端に設けられて床面（３）に載置される床置き部材（５）と、径小パイプ（２）の上端に設けられて天井（６）に受け止められる天井受け部材（７）とを備えており、径大パイプ（１）と径小パイプ（２）との間には、径大パイプ（１）の上方に径小パイプ（２）を引き出した状態において径大パイプ（１）に対して径小パイプ（２）を上下動不能にロック保持するロック具（４）を有する伸縮式の突っ張り型支柱において、
ロック具（４）が、径大パイプ（１）の上端に固定されて径小パイプ（２）がスライド嵌合する円筒状の固定リング（４２）と、径小パイプ（２）の外周に遊嵌する円筒状の締結リング（４３）と、締結リング（４３）を拡縮操作するためのハンドル（４４）およびリンク（４５）とを含み、
固定リング（４２）には、リンク連結片（４７）が設けられており、
締結リング（４３）には、これを拡縮変形可能とするための縦方向の割り（５１）を入れてあって、この割り（５１）に臨む締結リング（４３）の開離端の外側に、一対のハンドル連結片（５２・５２）が所定の間隔を置いて対向状に設けられており、
ハンドル（４４）は、基端側が一対のアーム（５３・５３）を介して前記ハンドル連結片（５２・５２）にこれの外側面に接合するよう枢軸（５５）を介して連結され、略水平姿勢と下向きに倒した略垂直姿勢とにわたって枢軸（５５）まわりに揺動操作可能であり、
リンク（４５）は、一端がハンドル（４４）の基端寄り部位に連結され、他端が固定リング（４２）のリンク連結片（４７）に連結されており、
アーム（５３）とハンドル連結片（５２）との接合面に、締結リング（４３）の径を拡縮変形させるためのカム機構が設けられており、
カム機構は、ハンドル（４４）を略水平姿勢にしたとき締結リング（４３）が拡径状態にあり、ハンドル（４４）を略水平姿勢から略垂直姿勢に向かって下方に揺動操作すると、両ハンドル連結片（５２・５２）どうしを接近させて締結リング（４３）が縮径状態になって、締結リング（４３）で径小パイプ（２）を上下動不能に締結するようにし、
径小パイプ（２）の上端には、天井受け部材（７）が押し付けられた際の反発力を受け止めるばね手段が設けられており、
固定リング（４２）のリンク連結片（４７）には、縦長のガイド溝（５９）が設けられており、
リンク（４５）の一端が、ハンドル（４４）に固定軸（５６）を介して連結されており、
リンク（４５）の他端が、ガイド溝（５９）に沿って上下動する可動軸（５７）に連結されており、
固定リング（４２）のリンク連結片（４７）には、そのリンク連結片（４７）の下端面からガイド溝（５９）に到るねじ孔（７１）を上下方向に刻設してあり、
固定リング（４２）のリンク連結片（４７）のねじ孔（７１）には、下方からねじ込まれる調節ボルト（７２）を備えてあり、
調節ボルト（７２）は、ガイド溝（５９）内を下降する可動軸（５７）を受け止め可能になっていて、ガイド溝（５９）の下端又は調節ボルト（７２）で可動軸（５７）を受け止めた状態で、調節ボルト（７２）を回動操作することによって、径小パイプ（２）を保持固定した締結リング（４３）が押し上げられることを特徴とする伸縮式の突っ張り型支柱。
【請求項２】
カム機構は、締結リング（４３）の各ハンドル連結片（５２）の外側面にそれぞれ設けた固定カム面（６０）と、各ハンドル連結片（５２）の外側面に面接合するハンドル（４４）の各アーム（５３）の内側面にそれぞれ設けた可動カム面（６１）とから成る請求項１記載の伸縮式の突っ張り型支柱。
【請求項３】
ハンドル（４４）に設けた穴に通されるストッパー（７３）を有して、そのストッパー（７３）に係合するストッパー孔（７５）をリンク（４５）に設けてあり、
ハンドル（４４）を略垂直姿勢にした状態で、ストッパー（７３）を、ハンドル（４４）に設けた穴に通してリンク（４５）のストッパー孔（７５）に係合するようにした請求項２記載の伸縮式の突っ張り型支柱。
【請求項４】
天井受け部材（７）は、径小パイプ（２）に対して上下動自在に支持されており、
ばね手段は、径小パイプ（２）の上端の内側に設けられて天井受け部材（７）を押し上げ付勢する圧縮コイルばね（８）から成る請求項３記載の伸縮式の突っ張り型支柱。
【発明の詳細な説明】
【０００１】
【発明の属する技術分野】
本発明は、屋内の天井と床面との間に突っ張り固定されて、例えば手摺などを支持したりするのに好適な伸縮式の突っ張り型支柱に関する。
【０００２】
【従来の技術】
階段に沿う壁などに手摺を取り付ける際に、壁の強度が不十分な場合がある。このような場合に、例えば実開昭４９−１１９２２５号公報では、天井と床面との間に、径大パイプに径小パイプを入れ子式にスライド嵌合した伸縮式の支柱を突っ張り状態で固定し、この支柱にステーを介して手摺を支持している。
【０００３】
実開昭４９−１１９２２５号公報では、径小パイプに遊嵌するリングのナットを締め込んでリングの金具を径小パイプに圧接させることで、リングを径小パイプに固定したのちハンドルでリングを介して内管を上昇させることにより、伸縮式支柱を天井と床面との間に突っ張り固定する形態を採用している。
【０００４】
【発明が解決しようとする課題】
しかし、実開昭４９−１１９２２５号公報では、伸縮式の支柱を突っ張り固定するために、ナットの締め込みとハンドルの操作とを行なわなければならず、作業性が悪いところに問題がある。
【０００５】
また、過度の突っ張り力で天井や床面を破損しないように、ハンドルは、径大パイプに設けた軸受部材に対してばねを介して連結されるため、ばね力が抵抗になってハンドルが操作しにくい。
【０００６】
本発明の目的は、天井と床面との間に容易確実に突っ張り固定できて、設置の作業性が良い伸縮式の突っ張り型支柱を得ることにある。本発明の目的は、支柱を取り付ける際に、天井や床面に過大な力が加わらないようにすることにある。
【０００７】
【課題を解決するための手段】
本発明に係る伸縮式の突っ張り型支柱は、図２に示すごとく、下側に立てられる径大パイプ１と、径大パイプ１の内部に上下スライド自在に嵌合する上側の径小パイプ２と、径大パイプ１の下端に設けられて床面３に載置される床置き部材５と、径小パイプ２の上端に設けられて天井６に受け止められる天井受け部材７とを備えており、径大パイプ１と径小パイプ２との間には、径大パイプ１の上方に径小パイプ２を引き出した状態において径大パイプ１に対して径小パイプ２を上下動不能にロック保持するロック具４を有する。
【０００８】
かかる伸縮式の突っ張り型支柱において、本発明のロック具４は、図１に示すごとく、径大パイプ１の上端に固定されて径小パイプ２がスライド嵌合する円筒状の固定リング４２と、径小パイプ２の外周に遊嵌する円筒状の締結リング４３と、締結リング４３を拡縮操作するためのハンドル４４およびリンク４５とを含む。このうち固定リング４２には、リンク連結片４７が設けられている。締結リング４３には、これを拡縮変形可能とするための縦方向の割り５１を入れてあって、この割り５１に臨む締結リング４３の開離端の外側に、一対のハンドル連結片５２・５２が所定の間隔を置いて対向状に設けられている。
【０００９】
ハンドル４４は、基端側が一対のアーム５３・５３を介して前記ハンドル連結片５２・５２にこれの外側面に接合するよう枢軸５５を介して連結され、略水平姿勢と下向きに倒した略垂直姿勢とにわたって枢軸５５まわりに揺動操作可能である。リンク４５は、一端がハンドル４４の基端寄り部位に連結され、他端が固定リング４２のリンク連結片４７に連結されている。アーム５３とハンドル連結片５２との接合面には、図８に示すごとく、締結リング４３の締結リング４３の径を拡縮変形させるためのカム機構が設けられている。
【００１０】
そのカム機構は、ハンドル４４を略水平姿勢にしたとき締結リング４３が拡径状態にあり、ハンドル４４を略水平姿勢から略垂直姿勢に向かって下方に揺動操作すると、両ハンドル連結片５２・５２どうしを接近させて締結リング４３が縮径状態になって、締結リング４３で径小パイプ２を上下動不能に締結するようにしたことを特徴とする。
【００１１】
具体的には、天井６に天井受け部材７が押し付けられた際の反発力を受け止めるばね手段が設けられている。実施例の圧縮コイルばね８が、ここでのばね手段に相当する。
【００１２】
固定リング４２のリンク連結片４７には、縦長のガイド溝５９が設けられており、リンク４５の一端が、ハンドル４４に固定軸５６を介して連結されており、リンク４５の他端が、前記ガイド溝５９に沿って上下動する可動軸５７に連結されている。そして、ハンドル４４を略水平姿勢から略垂直姿勢に下方へ揺動操作する途中で、ガイド溝５９内を下降する可動軸５７が受け止められ、ハンドル４４を更に略垂直姿勢に向けて揺動操作すると、締結リング４３が径小パイプ２を保持固定した状態で押し上げられるようにしてある。ガイド溝５９内において可動軸５７は、多くの場合、ガイド溝５９の下端で受け止められるが、別の部材で受け止めてもよい。
【００１３】
固定リング４２には、図７に示すごとく、ハンドル４４が略垂直姿勢にあるとき、可動軸５７を突き上げ操作できる調節ボルト７２を備えている。
【００１４】
【作用】
使用に際しては、図２に示すごとく、径大パイプ１を床置き部材３を介して床面３に置き、ハンドル４４を略水平姿勢にすると、径小パイプ２は径大パイプ１、固定リング４２および締結リング４３内にあって上下スライド自在である。従って、まず径小パイプ２を径大パイプ１からこれの上方に引き出し、天井６に天井受け部材７を突き当てる。
【００１５】
次に、ハンドル４４を図６の略水平姿勢から下方に揺動操作すると、締結リング４３のハンドル連結片５２に対してアーム５３がハンドル４４とともに回動するのに伴い、カム機構が働いて両ハンドル連結片５２・５２が互いに接近して締結リング４３が縮径されて行く。これで締結リング４３が径小パイプ２を上下動不能に締結固定する。
【００１６】
更にハンドル４４をこれが図７の略垂直姿勢になるまで揺動操作して行くと、可動軸５７がガイド溝５７内を下降してガイド溝５７の下端で受け止められたのち、締結リング４３が径小パイプ２を締結固定した状態のまま上方へ持ち上げられる。これで天井受け部材７が、圧縮コイルばね８の弾発力に抗して天井６に押し付けられ、支柱の全体が床面３と天井６との間に確りと突っ張り固定される。
【００１７】
【発明の効果】
本発明のロック具４によれば、床面３に床置き部材５を介して径大パイプ１を立て、ハンドル４４を略水平姿勢にシフトすると、径小パイプ２は締結リング４３、固定リング４２、次いで径大パイプ１の各内部を上下スライドできる。後は径小パイプ２を引き上げて天井受け部材７を天井６に当て、ハンドル４４を先の略水平姿勢から下方に揺動操作して略垂直姿勢にすると、締結リング４３のハンドル連結片５２・５２がカム機構で互いに接近して、締結リング４３が縮径して径小パイプ２を締め付け固定する。この締結リング４３による径小パイプ２の締め付けは、リンク４５を用いた梃子の原理でハンドル４４を揺動操作するだけで手軽に行える。
【００１８】
天井６に天井受け部材７が押し付けられた際の反発力を受け止めるばね手段を備えていると、天井６や床面３に過度の突っ張り力が作用するのを防止できる。
【００１９】
そのうえで、固定リング４２のリンク連結片４７に縦長のガイド溝５９が設けられていて、リンク４５の一端がハンドル４４に固定軸５６を介して連結され、リンク４５の他端が前記ガイド溝５９に沿って上下動する可動軸５７に連結されており、ハンドル４４を略水平姿勢から下方に揺動操作する途中でガイド溝５９内を下降する可動軸５７が受け止められるようにしてあると、ハンドル４４を更に略垂直姿勢にまで揺動操作するに伴い、径小パイプ２が図７に示すごとく締結リング４３でスライド不能にロック保持された状態下で締結リング４３ごと押し上げられる。従って、床面３と天井６との間に支柱を雑作無く確実に突っ張り固定できる。その際、前記ばね手段が利いて過剰な突っ張り力を吸収し、床面３や天井６が疵付くのをよく保護する。
【００２０】
固定リング４２に、可動軸５７を突き上げ操作する調節ボルト７２を備えていると、図７に示すごとく支柱を突っ張った状態で調節ボルト７２をねじ込むことにより、径大パイプ１上に径小パイプ２をロック具４ごと押し上げて支柱の突っ張り力を微調整できる。
【００２１】
【発明の実施の形態】
図面は本発明に係る屋内用の伸縮式の突っ張り型支柱を示しており、図２に示すごとく、下側に立てられる径大パイプ１と、径大パイプ１の内部に上下スライド自在に嵌合する上側の径小パイプ２と、径大パイプ１の下端に設けられて床面３に載置される床置き部材５と、径小パイプ２の上端に設けられて天井６に受け止められる天井受け部材７とを備えている。径大パイプ１と径小パイプ２との間には、径大パイプ１の上方に径小パイプ２を引き出した状態において径大パイプ１に対して径小パイプ２を上下動不能にロック保持するロック具４を有する。
【００２２】
床面３上に径大パイプ１を床置き部材５を介して置き、径小パイプ２を径大パイプ１の上方に引き出して天井受け部材７を天井６に当て、この状態でロック具４を操作すると、径小パイプ２が所定量だけ垂直姿勢を維持して押し上げられてロック保持される。これにより、支柱が天井６と床面３との間で突っ張り固定される。
【００２３】
天井受け部材７は、図３に示すごとく径小パイプ２に対して上下動自在に支持されて圧縮コイルばね８で押し上げ付勢されている。これにより天井受け部材７がロック具４で天井６に向けて押し上げられた際の反発力を圧縮コイルばね８で弾性力で受け止める。図３は該ばね８が最大限にまで圧縮された状態を示す。
【００２４】
すなわち、径小パイプ２の上端には、図３に示すごとく、圧縮コイルばね８が納まるばね受け筒９を内嵌して固定する。ばね受け筒９は、下端近くに底壁１０を有し、外周の下向き段面１１が径小パイプ２に上端開口周縁で受け止められ、下向き段面１１より下方部分が径小パイプ２の内部に嵌入する。径小パイプ２の外部からばね受け筒９の下端にビス１２をねじ込むことにより、径小パイプ２に対してばね受け筒９が上方への抜け止めと回り止めとを図って固定されている。
【００２５】
径小パイプ２の上端には、天井受け部材７を下方から受ける受け部材１３が上下動自在に、しかし上方へは抜け止め状に装着される。受け部材１３は、上面に凹み１５を有するベース部１６と、ベース部１６の下方に一体に垂設した円筒１７とを有するプラスチック成形であり、この円筒１７が径小パイプ２の上端部および径小パイプ２より突出するばね受け筒９の上端部に上下スライド自在に外嵌する。
【００２６】
受け部材１３には、ばね軸１９を組み付ける。ばね軸１９の上端にばね受け座２０を溶接し、ばね受け座２０上に２本のスタッドボルト２１を植設する。ばね軸１９は下端側からばね受け筒９の内部に挿嵌する。その際、ばね軸１９の下端をばね受け筒９の底壁１０に設けた通孔２２に通し、該通孔２２の下方においてばね軸１９の下端に止め部材２３を取り付ける。これにてばね軸１９は、ばね受け筒９に対し上下動自在に組み込み、止め部材２３で上方への抜け止めを図る。
【００２７】
受け部材１３のベース部１６には、上下方向に貫通するボルト挿通孔２５を設けてあり、これにスタッドボルト２１を通して該ボルト２１の上端を前記凹み１５に突出させ、該ボルト２１の突出上端部にナット２６を上面側から螺合することにより、受け部材１３にばね軸１９を固定する。予め、ばね軸１９の外周には圧縮コイルばね８を巻装してあり、該ばね８は上端が前記ばね受け座２０の下面で、下端が前記底壁１０の内側上面でそれぞれ初期ばね圧を付与して受け止められている。
【００２８】
次いで、受け部材１３上に天井受け部材７を載置する。天井受け部材７は、プラスチック製のベース７ａを有する。受け部材１３にベース７ａをビス２７で止め付ける。これにて径小パイプ２に対する天井受け部材７の取り付けが完了する。最後に、ベース７ａの上面に合成ゴムやスポンジなどからなる滑り止め用のクッション材２９を貼り付ける。
【００２９】
床置き部材５は、図４および図５に示すごとく、上面中央に円筒部３０ａを有する円盤状のプラスチック製のベース台３０と、径大パイプ１の下端にベース台３０をボルト止めするための止め部材３１とを有する。
【００３０】
ベース台３０には、中央部の下端近くにアルミニウム鋳物製の補強体３２を埋設状にインサート成形してあり、補強体３２にボルト挿通孔３３が設けられている。止め部材３１は、円筒３５の下端外周に鍔３６を周回状に突設し、円筒３５の内部にねじ穴を有するボス３７が設けられている。
【００３１】
径大パイプ１の下端内部に、これの下面側から止め部材３１の円筒３５を嵌合し、ビス３９で径大パイプ１に止め部材３１を取り付ける。ベース台３０の円筒部３０ａに、径大パイプ１の下端部を上方から内嵌し、径大パイプ１の下端を鍔３６を介して補強体３２の上面で受ける。次いで、ベース台３０の下面側からボルト４０をボルト挿通孔３３に挿通して止め部材３１のボス３７のねじ穴にねじ込み、これにて径大パイプ１の下端に床置き部材５をボルト止めする。最後に、ベース台３０の下面に合成ゴムやスポンジなどからなる滑り止め用のクッション部材４１を貼り付ける。
【００３２】
図１においてロック具４は、径大パイプ１の上端に受け止め支持される縦長円筒状の固定リング４２と、径小パイプ２の外周に遊嵌して締結作用をする縦長円筒状の締結リング４３と、締結リング４３に枢結されて上下方向に揺動操作できるハンドル４４と、ハンドル４４と固定リング４２とを連結する左右一対のリンク４５とからなる。
【００３３】
固定リング４２は、円筒壁の１個所に縦方向の割り４６を入れ、この割り４６に臨むリング本体４２ａの開離端の外側に、左右一対のリンク連結片４７・４７を上下方向にわたって一体に設ける。固定リング４２の内周面の上端寄り部位には、図６に示すごとく下向きの段面４９を周回状に設けてあり、固定リング４２を径大パイプ１の外周に上方から嵌合すると、該段面４９が径大パイプ１の上端開口周縁で受け止められる。そのうえで、両リンク連結片４７・４７の上下をボルト５０で締結することにより、径大パイプ１の上端に固定リング４２が確りと固定される。径小パイプ２は、下端側から固定リング４２を介して径大パイプ１の内部へ上下スライド自在に嵌合できる。
【００３４】
締結リング４３は、図１に示すごとく、円筒壁の１個所に縦方向の割り５１を入れ、この割り５１に臨む締結リング４３の開離端の外側に、左右一対のハンドル連結片５２・５２を上下方向に一体に設ける。このハンドル連結片５２・５２は自由状態において所定の間隔を置いて対向している。締結リング４３は割り５１を入れたことにより、拡縮変形可能になっている。
【００３５】
ハンドル４４は、これの基端側の左右にハンドル４４と一体に動く一対のアーム５３・５３を有し、各アーム５３が各ハンドル連結片５２にこれの外側面に接合する状態で水平の枢軸５５を介して枢結されている。すなわちハンドル４４は前後方向に長い主面壁４４ａの左右に側壁４４ｂ・４４ｂを有して下面が開口するコ字形に形成されており、左右側壁４４ｂ・４４ｂの基端側が主面壁４４ａより突出する二股状になっている。ハンドル４４の左右側壁４４ｂ・４４ｂの突出基端がハンドル連結片５２・５２の外側にアーム５３・５３をはさんで１本の枢軸５５で連結されており、ハンドル４４の左右側壁４４ｂ・４４ｂの突出基端の内側に各アーム５３・５３が回り止め状に嵌係合している。これにて、ハンドル４４は、締結リング４３に対しアーム５３・５３を介して略水平姿勢と下方に倒れた略垂直姿勢とにわたって枢軸５５まわりに上下揺動自在に連結されている。
【００３６】
左右の各リンク４５は、一端がハンドル４４の基端寄りに固定軸５６を介して連結され、他端が固定リング４２のリンク連結片４７・４７に可動軸５７を介して上下動自在に連結されている。すなわち、固定軸５６は移動しない。これに対して可動軸５７は、リンク連結片４７・４７に設けた縦長のガイド溝５９に沿って上下移動する。
【００３７】
締結リング４３の各ハンドル連結片５２の外側面と、これに面接合する各アーム５３の内側面との間には、図８に示すごとく締結リング４３の径を拡縮変形させるためのカム機構が設けられている。図のカム機構は、締結リング４３の各ハンドル連結片５２の上端寄り外側面に設けた受動側の固定カム面６０と、各アーム５３の内側面に設けた操作側の可動カム面６１とからなる。
【００３８】
図８において固定カム面６０は、凹面６２と、凸面６３と、これら凹凸面６２・６３どうしをつなぐ傾斜面６４とからなる。可動カム面６１は、固定カム面６０に対応して、凸面６５と、凹面６６と、これら凹凸面６５・６６どうしをつなぐ傾斜面６７とからなる。
【００３９】
ハンドル４４が図６に示すごとくを略水平姿勢にあるときは、可動カム面６１の凸面６５が固定カム面６０の凹面６２に嵌り込んでいる（同時に可動カム面６１の凹面６６が固定カム面６０の凸面６３に嵌まり込んでいる）。この状態では、図９に示すごとく、締結リング４３のハンドル連結片５２・５２間の間隔Ｌ１が大きくなっており、締結リング４３が拡径状態にある。従って、径小パイプ２はこれの下端側から締結リング４３内に、次いで径大パイプ１内に自由に差し込むことができる。
【００４０】
ハンドル４４を枢軸５５まわりに下方へ揺動操作すると、可動カム面６１の凸面６５が、固定カム面６０の凹面６２から脱して傾斜面６４を介して凸面６３に乗り上がる。この両凸面６３・６５どうしの接合により、図１０に示すごとく締結リング４３のハンドル連結片５２・５２間の間隔Ｌ２が小さくなり、締結リング４３が縮径して径小パイプ２を上下方向へは移動不能に締結固定する。
【００４１】
このロック状態からハンドル４４は、なお略垂直姿勢になるまで回動操作可能である。すなわち、ハンドル４４が先の水平姿勢にあるとき、リンク４５の可動軸５７はガイド溝５９の上端に位置しており、この状態からハンドル４４を下降操作すると、可動軸５７がガイド溝５９の下方へ移動して行く。ハンドル４４を下降操作する途中において、締結リング４３が径小パイプ２を上下動不能に締結固定し、その後の状態で可動軸５７がガイド溝５９の下端で受け止められる。そのうえでハンドル４４を更に下方へこれが垂直姿勢になるまで揺動操作すると、図７の想像線で示すごとく固定リング４２に対して締結リング４３が径小パイプ２をロック保持したまま径小パイプ２ごと上方へ持ち上げられる。
【００４２】
図１および図７において、固定リング４２の両リンク連結片４７・４７は、これの一方を肉厚に形成してあり、この肉厚側のリンク連結片４７にこれの下端面から前記ガイド溝５９に到るねじ孔７１を上下方向に刻設し、このねじ孔７１に下方からねじ込まれる調節ボルト７２を備えている。
【００４３】
次に、支柱の使用要領を説明すると、径大パイプ１の上端に固定リング４２を前述の要領で外嵌し、リンク連結片４７・４７どうしをボルト５０で締結することにより、固定リング４２を径大パイプ１の上端に締め付け固定する。この後に、ハンドル４４を水平姿勢にして締結リング４３に径小パイプ２の下端を上方から差し込み、更に径小パイプ２を固定リング４２を介して径大パイプ１内にまで嵌め込む。
【００４４】
支柱を立てるべき位置において、床置き部材５を床面３に載置し、ハンドル４４を水平姿勢にして径小パイプ２を上方に引き上げ、天井受け部材７を天井６に当て付ける。この状態でハンドル４４を水平姿勢から下方に揺動操作すると、前記カム機構で締結リング４３が縮径して径小パイプ２を締め付け固定する。更にハンドル４４をこれが垂直姿勢になるよう揺動操作して行くと、可動軸５７がガイド溝５９の下端に受け止められて締結リング４３ごと径小パイプ２を押し上げる。
【００４５】
これで天井受け部材７が天井６に強く押し付けられて、支柱が天井６と床面３との間で確りと突っ張り固定される（図２の状態）。このとき圧縮コイルばね８は、天井受け部材７が天井に過剰に押し付けられるのを防止するよう作用する。
【００４６】
ハンドル４４を略垂直姿勢にしたロック状態において、図１１に示すごとく、ハンドル４４は締結リング４３のハンドル連結片５２、固定リング４２のリンク連結片４７、およびリンク４５の外側を体裁良く覆っている。
【００４７】
このロック状態において調節ボルト７２を回動操作して、図７の実線に示すごとく可動軸５７を僅かに押し上げることにより、天井６と床面３とに対する支柱の突っ張り力を微調整する。
【００４８】
最後に、図１および図７に示すごとく、ねじ軸からなるストッパー７３をハンドル４４の左右側壁４４ｂ・４４ｂに通してリンク４５・４５のストッパー孔７５に係合することにより、ハンドル４４を略垂直姿勢に保持しておくことができる。
【００４９】
なお、ハンドル操作に伴う径小パイプ２の押し上げ量はガイド溝５９の上下長さによって決まる。ガイド溝５９の上下長さが短くなる程、径小パイプ２の押し上げ量が大きくなって行く。従って、調節ボルト７２のねじ込み量を加減することにより、ガイド溝５９内における該ボルト７２の上端の突出高さを任意に調整できる。すなわち、調節ボルト７２の上端が高く位置する程、ハンドル４４の下降操作に伴い可動軸５７が該ボルト上端に早く受け止められ、これにて径大パイプ１に対する径小パイプ２の押し上げ量が多くなる。
【００５０】
支柱には、図２に示すごとくジョイント８０を着脱自在に取り付け、このジョイント８０に手摺８１の端部を接続することができる。ジョイント８０は、図１２に示すごとく、同一形状の左右一対の半筒体８０ａ・８０ａで形成されており、径大パイプ１を左右の半筒体８０ａ・８０ａで挟み込んだ状態でボルト８２を締め込むことにより、径大パイプ１にジョイント８０を固定することができる。
【００５１】
手摺８１に代えて、図１３に示す略Ｕ字状の手掛け部材８３や、図１４に示す略Ｖ字状の手掛け部材８３の類を支柱に取り付けることもできる。これらの場合、例えば径大パイプ１にジョイント８０が上下２個配置されることになる。径小パイプ２に先のジョイント８０を取り付けてもよい。本発明の支柱は、これに手摺８１や手掛け部８３の類が支持されていなくてもよい。
【図面の簡単な説明】
【図１】要部の分解斜視図
【図２】支柱の使用状態を示す斜視図
【図３】径小パイプに対する天井受け部材の取り付け状態を示す縦断面図
【図４】径大パイプに対する床置き部材の取り付け状態を示す縦断面図
【図５】径大パイプと床置き部材との関係を示す分解斜視図
【図６】ハンドルを水平姿勢にした状態での要部の縦断正面図
【図７】ハンドルを垂直姿勢にした状態での要部の縦断正面図
【図８】カム機構を説明する斜視図
【図９】図６のＡ−Ａ線矢視断面図
【図１０】図７のＢ−Ｂ線矢視断面図
【図１１】ハンドルを垂直姿勢にした状態でのロック手段の斜視図
【図１２】支柱に手摺を取り付けた状態を示す斜視図
【図１３】支柱に手掛け部材を取り付けた状態を示す側面図
【図１４】支柱に別の手掛け部材を取り付けた状態を示す側面図
【符号の説明】
１  径大パイプ
２  径小パイプ
３  床面
４  ロック具
５  床置き部材
６  天井
７  天井受け部材
４２  固定リング
４３  締結リング
４４  ハンドル
４５  リンク
４７  リンク連結片
５１  割り
５２  ハンドル連結片
５３  アーム
５５  枢軸
５６  固定軸
５７  可動軸
５９  ガイド溝
７２  調節ボルト
【図１】
0003952370.tif 000002
【図２】
0003952370.tif 000003
【図３】
0003952370.tif 000004
【図４】
0003952370.tif 000005
【図５】
0003952370.tif 000006
【図６】
0003952370.tif 000007
【図７】
0003952370.tif 000008
【図８】
0003952370.tif 000009
【図９】
0003952370.tif 000010
【図１０】
0003952370.tif 000011
【図１１】
0003952370.tif 000012
【図１２】
0003952370.tif 000013
【図１３】
0003952370.tif 000014
【図１４】
0003952370.tif 000015